(57)【要約】【課題】  画像読取り時に原稿を浮かされた場合などのように原稿に異常が発生した場合に画像の出力を禁止できる画像処理装置を提供する。【解決手段】  複合機１は、情報が埋め込まれた原稿を読み取る読み取り手段４と、前記読み取られた画像を出力する印字手段１３と、前記読み取られた画像から情報を検知する禁止コード検知手段又はデジタルコードデコード手段７と、前記読み取られた画像に異常があるか否かを判定する読み取り画像異常判定手段８と、前記検知手段による検知結果と前記読み取り画像異常判定手段８による判定結果に基づいて前記印字手段１３による画像出力を制御する制御手段１０とを有する。これにより、背景地紋画像が埋め込まれた原稿に異常があった場合に出力動作を禁止することができる。【選択図】          図１
2007166221.tif 000002
【特許請求の範囲】
【請求項１】
情報が埋め込まれた原稿を読み取る読み取り手段と、
前記読み取られた画像を出力する画像出力手段と、
前記読み取られた画像から情報を検知する検知手段と、
前記読み取られた画像に異常があるか否かを判定する異常判定手段と、
前記検知手段による検知結果と前記異常判定手段による判定結果に基づいて前記画像出力手段による画像出力を制御する制御手段と、
を有することを特徴とする画像処理装置。
【請求項２】
前記異常判定手段は、前記原稿が前記読み取り手段から浮いた状態で読み取られたかことを前記異常であると判定することを特徴とする請求項１に記載の画像処理装置。
【請求項３】
読み取り画像から情報を検知する検知手段と、
前記読み取り画像に異常があるか否かを判定する異常判定手段と、
前記検知手段による検知結果と前記異常判定手段による判定結果に基づいて画像出力を制御する制御手段と、
を有することを特徴とする画像処理装置。
【請求項４】
前記異常判定手段は、前記読み取られた画像の背景濃度に基づいて前記読み取られた画像に異常があるか否かを判定することを特徴とする請求項１から請求項３のいずれか一項に記載の画像処理装置。
【請求項５】
前記異常判定手段は、前記読み取られた画像の高周波成分の画素値に基づいて前記読み取られた画像に異常があるか否かを判定することを特徴とする請求項１から請求項３のいずれか一項に記載の画像処理装置。
【請求項６】
読み取り手段により情報が埋め込まれた原稿を読取るステップと、
前記読み取られた画像を出力する画像出力ステップと、
前記読み取られた画像から情報を検知する検知ステップと、
前記読み取られた画像に異常があるか否かを判定する異常判定ステップと、
前記検知ステップによる検知結果と前記異常判定ステップによる判定結果に基づいて前記画像出力を制御する制御ステップと、
を有することを特徴とする画像処理方法。
【請求項７】
前記異常判定ステップは、前記原稿が前記読み取り手段から浮いた状態で読み取られたかことを前記異常であると判定することを特徴とする請求項６に記載の画像処理方法。
【請求項８】
前記異常判定ステップは、前記読み取られた画像の背景濃度に基づいて前記読み取られた画像に異常があるか否かを判定することを特徴とする請求項６又は請求項７に記載の画像処理方法。
【請求項９】
前記異常判定ステップは、前記読み取られた画像の高周波成分の画素値に基づいて前記読取られた画像に異常があるか否かを判定することを特徴とする請求項６又は請求項７に記載の画像処理方法。
【発明の詳細な説明】
【技術分野】
【０００１】
本発明は、機密文書の情報漏洩を防止することができる画像処理装置及び画像処理方法に関する。
【背景技術】
【０００２】
近年、パーソナルコンピュータやプリンタ、複写機の普及によって、プリントアウトされた機密文書の不正コピーによる情報漏洩の問題が出てきている。機密文書の不正コピーの防止・抑制のための従来技術として、機密文書のプリント時に、画像中にコピー禁止情報を埋め込んでからプリント出力し、コピー時には原稿を読み取った画像中から画像中に埋め込まれているコピー禁止情報を検知し、コピー禁止情報が含まれている場合には正常なコピー動作を中止する、といった不正コピー禁止機能を持った 複合機が検討されている（例えば、特許文献１参照）。
【０００３】
また、その不正コピー禁止機能を発展させ、機密文書のプリント時には画像中にコピー 禁止情報、および特定の条件のもとではコピーを許可するためのコピー許可条件情報（例えば、暗証番号）の２種類の情報を埋め込んでプリント出力し、コピー時には読み取った 画像中から画像中に埋め込まれているコピー禁止情報およびコピー許可条件情報の２種類の情報を検知し、コピー許可条件に合致しているか判断し、コピー許可条件に合致していない場合にはコピー動作を中止するが、合致している場合にはコピー動作を行う、という高度な不正コピー禁止機能を持った複合機も検討されている。ここで、コピー禁止情報・コピー許可条件情報の埋込み方法としては、例えば次のような方法が提案されている（例えば、特許文献２参照）。
【０００４】
すなわち、文書画像の背景全面に微小なパターンで比較低濃度の背景地紋画像を合成する。背景地紋画像は潜像文字領域と背景領域の２つの領域で構成されており、それぞれの領域は異なる微小パターンで構成されている。潜像文字領域は、比較的小さいドットパターンで構成され、背景領域は、２種類の微小な斜線パターンの配列で構成されている。この２種類の斜線パターンがそれぞれビット０、ビット１を表現し、その２種類の斜線パターンを所定サイズの２次元配列とした２次元コード画像が背景部に互いに隣接して繰り返し配置されるようになっている。コピー許可条件情報としては、この２次元コードに埋め込む。
【０００５】
コピー禁止情報としては、２次元配列の内部が全てビット０に対応する斜線パターンで構成する特殊コード、もしくは２次元配列の内部が全てビット１に対応する斜線パターンで構成する特殊コードによって埋め込む。機密文書の不正コピー抑制のための他の従来例として、機機密文書のプリント時に、プ リントを行ったユーザに関する情報や日時情報等を埋め込んでからプリント出力し、プリント出力された原稿をスキャナ等で読み込み、読み取られた画像中に埋め込まれたユーザ・クライアントＰＣ・プリンタ・日時を解析して、情報漏洩元を特定する画像処理装置が検討されている。この機能は、前記従来例の複合機の追加機能として構成することも可能である。
【特許文献１】特開２００３−２８０４６９号公報
【特許文献２】特開２００３−２８３７９０号公報
【発明の開示】
【発明が解決しようとする課題】
【０００６】
しかしながら、上記従来技術では、微小なパターンの形状によってコードを構成しているため、スキャナの取り付け位置誤差等の要因により、読取り画像がボケてしまった場合に、コピー禁止コードを正しく検出できず、コピー禁止原稿であるにも関わらずコピーが出来てしまう場合がある、という課題がある。
【０００７】
そこで、本発明は、上記問題点に鑑みてなされたもので、画像読取り時に原稿を浮かされた場合などのように原稿に異常が発生した場合に画像の出力を禁止できる画像処理装置および画像処理方法を提供することを目的とする。
【課題を解決するための手段】
【０００８】
上記課題を解決するために、本発明の画像処理装置は、情報が埋め込まれた原稿を読み取る読み取り手段と、前記読み取られた画像を出力する画像出力手段と、前記読み取られた画像から情報を検知する検知手段と、前記読み取られた画像に異常があるか否かを判定する異常判定手段と、前記検知手段による検知結果と前記異常判定手段による判定結果に基づいて前記画像出力手段による画像出力を制御する制御手段とを有する。本発明によれば、背景地紋画像が埋め込まれた原稿に異常があった場合に出力動作を禁止することができる。
【０００９】
前記異常判定手段は、前記原稿が前記読み取り手段から浮いた状態で読み取られたかことを前記異常であると判定する。また、本発明の画像処理装置は、読み取り画像から情報を検知する検知手段と、前記読み取り画像に異常があるか否かを判定する異常判定手段と、前記検知手段による検知結果と前記異常判定手段による判定結果に基づいて画像出力を制御する制御手段とを有する。これにより上記読み取り手段及び画像出力手段を設けなくても実現することができる。前記異常判定手段は、前記読み取られた画像の背景濃度に基づいて前記読取られた画像に異常があるか否かを判定する。本発明によれば、スキャンされた画像全体の背景濃度(又は背景色)を調べ、背景全体が所定以上の濃度(所定色)である場合には背景地紋画像であると判断し、コピーを禁止することができる。
【００１０】
前記異常判定手段は、前記読み取られた画像の高周波成分の画素値に基づいて前記読み取られた画像に異常があるか否かを判定する。本発明によれば、画像全体の周波数成分を調べ、画像がボケており高周波成分を含まない場合には、原稿が浮いていると判断し、コピーを禁止できる。
【００１１】
本発明の画像処理方法は、読み取り手段により情報が埋め込まれた原稿を読み取るステップと、前記読み取られた画像を出力する画像出力ステップと、前記読取られた画像から情報を検知する検知ステップと、前記読み取られた画像に異常があるか否かを判定する異常判定ステップと、前記検知ステップによる検知結果と前記異常判定ステップによる判定結果に基づいて前記画像出力を制御する制御ステップとを有する。本発明によれば、背景地紋画像が埋め込まれた原稿に異常があった場合に出力動作を禁止することができる。
【００１２】
前記異常判定ステップは、前記原稿が前記読み取り手段から浮いた状態で読取られたかことを前記異常であると判定する。前記異常判定ステップは、前記読み取られた画像の背景濃度に基づいて前記読取られた画像に異常があるか否かを判定する。本発明によれば、スキャンされた画像全体の背景濃度(又は背景色)を調べ、背景全体が所定以上の濃度(所定色)である場合には背景地紋画像であると判断し、コピーを禁止することができる。
【００１３】
前記異常判定ステップは、前記読み取られた画像の高周波成分の画素値に基づいて前記読み取られた画像に異常があるか否かを判定する。本発明によれば、画像全体の周波数成分を調べ、画像がボケており高周波成分を含まない場合には、原稿が浮いていると判断し、コピーを禁止できる。
【発明の効果】
【００１４】
本発明によれば、画像読取り時に原稿を浮かされた場合でも、情報埋込みされた原稿からは確実に情報検出ができる画像処理装置及び画像処理方法を提供できる。
【発明を実施するための最良の形態】
【００１５】
以下、本発明を実施するための最良の形態について説明する。図１は複合機１の構成を示す図である。画像処理装置としての複合機１は、プリント機能、コピー機能、およびスキャン機能等の複数機能を持つ。この複合機１は、ＬＡＮ（Local Area Network）などのネットワークに接続されたクラインアントＰＣ（パーソナルコンピュータ）に接続されている。図１に示すように、複合機１は、画像展開手段２、画像蓄積手段３、読み取り手段４、スキャン画像処理手段５、禁止コード検知手段６、デジタルコードデコード手段７、異常判定手段としての読み取り画像異常判定手段８、ユーザインターフェース手段９、制御手段１０、コード画像生成手段１１、画像合成手段１２及び画像出力手段としての印字手段１３を有する。
【００１６】
画像展開手段２は、ＬＡＮを介して入力されるプリント記述言語（ＰＤＬ）で記述されたプリントデータ（以下、「ＰＤＬデータ」と言う。）の描画処理を行って文書画像データを生成し、描画した文書画像データを画像蓄積手段３に蓄積する。画像蓄積手段３は、文書画像およびコード画像をページ番号に対応付けて蓄積する。読み取り手段４は、プラテンに置かれた原稿を読み取り、読み取った画像データをスキャン画像処理手段５へ出力する。スキャン画像処理手段５は、読取られた画像に対して画像補正、色変換、拡大縮小等の画像処理を行い、画像蓄積手段３へ蓄積する。
【００１７】
禁止コード検知手段６は、読み取り画像から禁止コード（情報）を検知する。デジタルコードデコード手段７は、読み取り画像からデジタルコードをデコードする。読み取り画像異常判定手段８は、読み取られた画像に異常があるか否かを判定する。例えば読み取り画像異常判定手段８は、原稿が読み取り手段４から浮いた状態で読取られたときに画像に異常があると判定する。このとき、読み取り画像異常判定手段８は、読み取られた画像の背景濃度に基づいて読取られた画像に異常があるか否かを判定する。また、読み取り画像異常判定手段８は、読み取られた画像の高周波成分の画素値に基づいて読み取られた画像に異常があるか否かを判定する。ユーザインターフェース手段９は、タッチパネルディスプレイ等の入出力デバイスを有しており、ユーザから各種操作や埋め込み情報の入力を受け付ける部分である。
【００１８】
制御手段１０は、複合機１の全体を制御するものである。制御手段１０は、禁止コード検知手段６やデジタルコードデコード手段７の結果と読み取り画像異常判定手段８の結果に基づいて、画像出力を制御する。また、制御手段１０は、固定情報、ジョブ情報及びページ単位情報をそれぞれ固定情報コード、ジョブ情報コード及びページ情報コードとしてコード化する。コード画像生成手段１１は、制御手段１０がコード化したそれぞれのコードを画像の所定の領域に配置してコード画像を生成する。画像合成手段１２は、画像蓄積手段３に蓄積された各ページの文書画像とコード画像を読み出して合成する。印字手段１３は、画像合成手段１２が合成した合成画像データを用紙上に印字記録して出力する。
【００１９】
次に、背景地紋画像生成処理について説明する。図２は、コードを説明する模式図である。図３は、パターン番号配列を説明する模式図である。コード画像生成手段１１の動作について説明する。コード画像生成手段１１には、制御手段１０から付加情報（複写禁止情報、条件情報、潜像情報）が入力される。コード画像生成手段１１は、入力された潜像情報を元に潜像画像を生成する。潜像情報とは、パターン画像の中にどのような潜像文字を埋め込むかを示す情報であり、具体的には、潜像の文字列、フォント種類、フォントサイズ、潜像文字列の方向(角度)等の情報からなっている。コード画像生成手段１１は、潜像情報を、指定されたフォント種類、フォントサイズで、指定された方向に潜像文字列の描画を行い、２値の潜像画像として生成する。
【００２０】
ここで、潜像画像の解像度はプリンタの解像度を後述するパターンのサイズで割った解像度となる。例えば、プリンタ解像度が６００ｄｐｉ、パターンのサイズが１２画素×１２画素の場合、潜像画像の解像度は５０ｄｐｉとなる。コード画像生成手段１１は、入力された複写禁止情報および条件情報の符号化を行う。
【００２１】
先ず、複写禁止情報がプリント出力を行った文書を複写機で複写させないようにすることを示す場合、図２（Ａ）、（Ｂ）に示す２種類の複写禁止コードを生成する。ここで、図２（Ａ）の複写禁止コードは、コード内部が全てビット０となっており、図２（Ｂ）の複写禁止コードは、コード内部が全てビット１となっていることが特徴である。複写禁止 情報が入力されない場合、もしくはプリント出力を行った文書を複写機で複写させないようにすることを示すものではない場合、図２（Ａ）および（Ｂ）に示す２種類のコードの生成は行われない。
【００２２】
次に、条件情報が入力されている場合、その条件情報に対して誤り訂正符号を行い、図２（Ｃ）に示すようなデジタルコードを生成する。図２（Ｃ）のコードは、ビット０およびビット１の配列によって、符号化された条件情報のビット列を表している。コードの外周は、コードの位置決めを容易にするために特殊なビットパターンとなっている。次に、生成したコードを図３（Ａ）に示すように複数個繰り返し配置し、潜像画像の大きさと同じ大きさのパターン番号配列を生成する。ここで、図の斜線ハッチングされた矩形が図２（Ａ）の複写禁止コード、縦線ハッチングされた矩形が図２（Ｂ）の複写禁止コード、ドットハチングされた矩形が図２（Ｃ）のデジタルコードとなっている。
【００２３】
もし、複写禁止コードが生成されなかった場合には、図中の複写禁止コードの部分にはデジタルコードを配置する。また、もしデジタルコードが生成されなかった場合には、図中のデジタルコードの部分には複写禁止コードを配置する。この時点で、パターン番号配列の各要素の値は０または１になっている。次に、潜像画像を参照し、潜像画像中の黒画素の座標に対応するパターン番号配列の要素のパターン番号を２に変更する。これを潜像画像中の全ての黒画素について行うと、パターン番号配列は、複写禁止コード、デジタルコードが並べて配置された背景にパターン番号２で潜像文字が描かれた状態となる。この状態を図３（Ｂ）に示す。図中の黒色の「COPY」の部分が、パターン配列番号を２に変更された部分を示す。このパターン番号配列をコード画像生成手段１１へ出力する。
【００２４】
コード画像生成手段１１は、入力されたパターン番号配列の各要素を参照し、そのパターン番号に対応したパターンをパターン格納部から読み出してパターン画像に変換することで、背景地紋画像を生成する。生成された背景地紋画像は、画像蓄積手段３へ格納される。
【００２５】
図４は、パターン格納部に格納されるパターンの例を示す模式図で、（Ａ）はパターン番号０に対応するパターン、（Ｂ）はパターン番号１に対応するパターン、（Ｃ）はパターン番号２に対応するパターンである。ここで、パターン番号配列はプリンタ解像度をパ ターンサイズで割った画像の解像度に相当し、それをもとに生成されるパターン画像は、パターン番号配列の一要素を１つのパターンに置き換えて生成するので、生成されたパターン画像はプリンタの解像度に一致する。また、パターン画像は、複写禁止コード、デジタルコードのビット値に応じた斜線パターンに変換され、潜像文字が孤立ドットパターンに変換された画像になっている。
【００２６】
このようにして生成されたパターン画像が背景地紋画像として、画像蓄積手段３へ格納され、文書画像データに合成されて、用紙上にプリント出力される。図５は、プリント出力およびコピー出力の例を示す模式図である。プリント出力された画像の例を図５（Ａ）に示す(説明の都合上、文書画像は画像要素が何も無い真っ白な画像の場合の例を示している)。図５（Ａ）中の矩形で囲まれた領域 を拡大したものが図５（Ｃ）である。図５（Ｂ）は、図５（Ａ）をコピー機でコピーした 場合のコピー出力画像を示す。
【００２７】
次に、読み取り画像異常判定手段８の構成について説明する。図６は、読み取り画像異常判定手段８のブロック図である。図６に示すように、読み取り画像異常判定手段８は、画像背景濃度判定部８１、画像周波数判定部８２及び判定部８３を有する。読み取り手段４により読取られた画像は、背景画像濃度判定部８１、画像周波数判定部８２に入力される。背景画像濃度判定部８１は、背景画像の濃度を判定する。画像周波数判定部８２は、画像の周波数を判定する。
【００２８】
図７は背景画像濃度判定部８１のブロック図である。図７に示すように、背景画像濃度判定部８１は、グレイスケール変換部８１１、画素値ヒストグラム作成部８１２および背景濃度判定部８１３を有する。グレイスケール変換部８１１は、入力画像（ＲＧＢ）をまずグレイスケール変換する。画素値ヒストグラム作成部８１２は、全画素の画素値のヒストグラムを作成する(濃度ヒストグラム)。濃度ヒストグラムは、通常の画像読取り(プラテン上に原稿を置く)の場合と、原稿を浮かした場合とでは、図９のように分布が異なる。図９（ａ）は通常読み取り時の濃度ヒストグラム、同図（ｂ）は原稿浮かし読み取り時の濃度ヒストグラムをそれぞれ示す図である。図９において横軸は画素値、縦軸は頻度を表す。背景濃度判定部８１３は、ヒストグラムを３つの領域に分け、真中のヒストグラム割合の大小で画像の異常を判定する。背景濃度判定部８１３は、原稿が浮いたために画像が暗くなって背景濃度が濃くなった状態の場合には、図９（ｂ）のような分布になるため、画像に異常があると判定する。
【００２９】
図８は、画像周波数判定部６２のブロック図である。図８に示すように、画像周波数判定部８２は、グレイスケール変換部８２１、高域通過フィルタ８２２、画素値ヒストグラム作成部８２３及び周波数判定部８２４を有する。グレイスケール変換部８２１は、入力画像（ＲＧＢ）をまずグレイスケール変換する。高域通過フィルタ８２２は、高域通過フィルタを掛けて、高周波成分を抽出する。画素値ヒストグラム作成部８２３は、全画素の画素値のヒストグラムを作成する(高周波成分画素値ヒストグラム)。
【００３０】
高周波成分画素値ヒストグラムは、通常の画像読取り(プラテン上に原稿を置く)の場合と、原稿を浮かした場合とでは、図１０のように分布が異なる。図１０（ａ）は通常読み取り時の高周波成分画素値ヒストグラム、同図（ｂ）は原稿浮かし読み取り時の高周波成分画素値ヒストグラムをそれぞれ示す図である。図１０において、横軸は周波数、縦軸は頻度を表す。周波数判定部８２４は、ヒストグラムを２つの領域に分け、画素値が大きい(高周波成分を多く含む)領域の割合の大小で画像の異常を判定する。周波数判定部８２４は、原稿が浮いたため画像がボケてしまい高周波成分が少なくなった状態の場合には、図１０（ｂ）のような分布になるため、画像に異常があると判定する。
【００３１】
図６に戻り、それぞれの判定結果は判定部８３に入力される。判定部８３は、いずれか一方からＮＧ判定が入力された場合、制御手段１０へ読取り画像異常判定信号を出力する。判定部８３は、その検知結果に基づいて読取られた画像に異常があるか否かを判定する。
【００３２】
次に、本発明の実施例に係る複合機１のコピー時の動作について説明する。図１１は、本発明の実施例に係る複合機のコピー時の動作フローチャートである。ステップＳ１で、ユーザが原稿をプラテンに置いてコピーボタンを押してコピーを開始する。悪意のあるユーザであれば、原稿をプラテン上に置かないで、数ｃｍ程度浮かした状態でコピーボタンを押してコピーを開始する。次に、ステップＳ２で、読み取り手段４が原稿を読取る。スキャン画像処理手段５は、読取られた画像をスキャン画像処理手段５によって画像補正、色変換、拡大縮小等の画像処理がなされ、画像蓄積手段３へ蓄積される。
【００３３】
ステップＳ３で、読取られた画像が禁止コード検知手段６とデジタルコードデコード手段７へ入力され、禁止コードの検知処理とデジタルコードのデコード処理が行われる。もし禁止コート検知手段６が禁止コードを検知し（ステップＳ４で「Ｙ」）、かつ、デジタルコードデコード手段７がデジタルコードを検知し、デコードに成功した場合（ステップＳ５で「Ｙ」）、制御手段１０はコピー動作を一時停止させ、ユーザにユーザインターフェース手段９から暗証番号を入力させる。制御手段１０は、入力された暗証番号とデコードデータに含まれる暗証番号が一致した場合（ステップＳ６で「Ｙ」）、原稿のそのページについてのコピー動作を継続させる（ステップＳ８）。
【００３４】
制御手段１０は、暗証番号が一致しない場合（ステップＳ６で「Ｎ」）、もしくはデジタルコードデコード手段７がデジタルコードを検知できなかった場合は（ステップＳ５で「Ｎ」）、ユーザインターフェース手段９にその旨メッセージを表示し、コピー動作を中止する（ステップＳ９）。ステップＳ７で、読取られた画像が読み取り画像異常判定手段８へ入力され、読取られた画像に異常がないか(原稿が浮いていないか)を判定する。もし読み取り画像異常判定手段８で異常有りと判定された場合（ステップＳ７で「Ｙ」）、制御手段１０は、ユーザインターフェース手段９にその旨メッセージを表示し、コピー動作を中止する（ステップＳ９）。一方、制御手段１０は、読み取り画像異常判定手段８で異常無しと判定された場合（ステップＳ７で「Ｎ」）、コピー動作を継続し（ステップＳ８）、印字手段１３から画像を記録紙上に印字する。
【００３５】
以上のように、スキャンされた画像全体の背景濃度を調べ、背景全体が所定以上の濃度である場合には背景地紋画像であると判断し、コピーを禁止する。さらに、画像全体の周波数成分を調べ、高周波成分を含まない(ボケている)場合には、原稿が浮いていると判断し、コピーを禁止する。これにより、画像読取り時に原稿を浮かされた場合でも、情報埋込みされた原稿からは確実に情報検出ができるようになる。
【００３６】
なお、本発明の画像処理方法は、複合機１により実現される。複合機１は、例えば、ＣＰＵ（Central Processing Unit）、ＲＯＭ(Read Only Memory)、ＲＡＭ(Random Access Memory)等を用いて実現される。本発明の画像処理方法は、コンピュータを制御して実行するプログラムとして実現することができる。このプログラムは、磁気ディスクや光ディスク、半導体メモリ、その他の記録媒体に格納して配布したり、ネットワークを介して配信したりすることにより、提供することができる。
【００３７】
以上本発明の好ましい実施例について詳述したが、本発明は係る特定の実施例に限定されるものではなく、特許請求の範囲に記載された本発明の要旨の範囲内において、種々の変形、変更が可能である。
【図面の簡単な説明】
【００３８】
【図１】本発明の実施例に係る複合機の構成を示す図である。
【図２】コードを説明する模式図である。
【図３】パターン番号配列を説明する模式図である。
【図４】パターンの例を示す模式図である。
【図５】プリント出力およびコピー出力の例を示す模式図である。
【図６】読み取り画像異常判定手段のブロック図である。
【図７】背景画像濃度判定部のブロック図である。
【図８】画像周波数判定部のブロック図である。
【図９】（ａ）は通常読み取り時の濃度ヒストグラム、同図（ｂ）は原稿浮かし読み取り時の濃度ヒストグラムをそれぞれ示す図である。
【図１０】（ａ）は通常読み取り時の高周波成分画素値ヒストグラム、（ｂ）は原稿浮かし読み取り時の高周波成分画素値ヒストグラムをそれぞれ示す図である。
【図１１】本発明の実施例に係る複合機のコピー時の動作フローチャートである。
【符号の説明】
【００３９】
１  複合機
２  画像展開手段
３  画像蓄積手段
４  読み取り手段
５  スキャン画像処理手段
６  禁止コード検知手段
７  デジタルコードデコード手段
８  読取り画像異常判定手段
９  ユーザインターフェース手段
１０  制御手段
１１  コード画像生成手段
１２  画像合成手段
１３  印字手段
【図１】
2007166221.tif 000003
【図２】
2007166221.tif 000004
【図３】
2007166221.tif 000005
【図４】
2007166221.tif 000006
【図５】
2007166221.tif 000007
【図６】
2007166221.tif 000008
【図７】
2007166221.tif 000009
【図８】
2007166221.tif 000010
【図９】
2007166221.tif 000011
【図１０】
2007166221.tif 000012
【図１１】
2007166221.tif 000013